(57)【要約】【課題】  １つのスライドレールが別のスライドレールに対して所定の位置から特定方向に変位するのを防止可能なスライドレールアセンブリを提供すること。【解決手段】  スライドレールアセンブリ（２２）は第１のレール（３０）と、第２のレール（３２）と、ブロック部材（３４）と、操作部材（３６）とを含む。レール（３０、３２）はお互いに対して変位可能である。ブロック部材（３４）は第１のレール（３０）に連結される。操作部材（３６）は第２のレール（３２）に対して所定の状態（Ｓ１）になることが可能である。第２のレール（３２）が第１のレール（３０）に対して引っ込め位置にある場合、操作部材（３６）は所定の状態（Ｓ１）にありブロック部材（３４）にブロックされて第２のレール（３２）が引っ込め位置から所定の方向に変位するのが防止される。操作部材（３６）が所定の状態（Ｓ１）になく、それ故にブロック部材（３４）にブロックされていない場合、第２のレール（３２）を引っ込め位置から所定の方向に変位させることができる。【選択図】  図３
2019181147.tif 000002
【特許請求の範囲】
【請求項１】
第１の端部及び該第１の端部の反対側の第２の端部を含む第１のレールと、
前記第１のレールに対して長手方向に変位可能な第２のレールと、
前記第１のレールに連結されるブロック部材と、
前記第２のレールに対して所定の状態になることが可能な操作部材であって、該操作部材はハンドル部を含む、操作部材と、
を含むスライドレールアセンブリであって、
前記第２のレールが前記第１のレールに対して引っ込め位置にある場合、前記ハンドル部は前記第１のレールの第１の端部を越えて所定の距離伸長し、前記操作部材は前記所定の状態にあり前記ブロック部材にブロックされて前記第２のレールが前記引っ込め位置から第１の方向に変位するのが防止され、
前記操作部材のハンドル部が操作されて前記操作部材が前記所定の状態から移されると、前記操作部材はもはや前記ブロック部材にブロックされていないため、前記第２のレールを前記引っ込め位置から前記第１の方向に変位させることができる、スライドレールアセンブリ。
【請求項２】
前記ハンドル部は複数の壁を有し、該複数の壁は共に操作空間を定義する、請求項１に記載のスライドレールアセンブリ。
【請求項３】
前記第１のレールと前記第２のレールとの間に可動に取り付けられる第３のレールをさらに含む、請求項１に記載のスライドレールアセンブリ。
【請求項４】
前記操作部材は前記第２のレールに可動に配置される、請求項３に記載のスライドレールアセンブリ。
【請求項５】
前記操作部材はシャフトを通じて前記第２のレールに枢結され、
前記スライドレールアセンブリは前記操作部材に弾性力を加え、それにより前記操作部材を前記所定の状態で維持するための弾性部品をさらに含み、
前記操作部材はブロック部をさらに含み、前記所定の状態にある前記操作部材は該ブロック部を通じて前記ブロック部材によりブロックされる、請求項４に記載のスライドレールアセンブリ。
【請求項６】
第１の要素及び第１の弾性要素をさらに含み、
前記第１の要素は前記第３のレールに枢結され、前記第１の弾性要素は前記第１の要素に弾性力を加え、
前記第２のレールが前記引っ込め位置から前記第１の方向に変位された後で第１の位置に到達すると、前記第２のレールの第１の部品は前記第１の要素に当接して前記第３のレール及び前記第２のレールが前記第１の方向に同時に変位できるようにし、
前記スライドレールアセンブリは前記第１のレールに配置される第１の動作部をさらに含み、該第１の動作部は係合解除区画を含み、
前記第３のレール及び前記第２のレールが前記第１のレールに対して前記第１の方向に同時に変位された後で第２の位置に到達すると、前記第１の動作部の係合解除区画は前記第１の要素を動かし、それにより前記第３のレールと前記第２のレールとの間の同時変位関係を解消し、
前記スライドレールアセンブリは前記第１のレールに配置される第２の動作部をさらに含み、該第２の動作部はブロック区画を含み、前記スライドレールアセンブリは第２の要素及び第２の弾性要素をさらに含み、該第２の要素は前記第３のレールに枢結され、該第２の弾性要素は前記第２の要素に弾性力を加え、
前記第３のレールが前記第１のレールに対して前記第１の方向に変位された後で第３の位置に到達すると、前記第２の要素は前記第２の弾性要素の弾性力に対応して前記第２の動作部のブロック区画と係合し、それにより前記第３のレールが前記第１のレールに対して前記第１の方向とは反対方向の第２の方向に変位するのが防止され、
前記第２のレールが前記第３のレールに対して伸長位置から前記第２の方向に変位された後で所定の位置に到達すると、前記第２のレールの第２の部品は前記第２の要素を前記第２の動作部のブロック区画との係合から外し、それにより前記第３のレールが前記第１のレールに対して前記第２の方向に変位できるようにする、請求項５に記載のスライドレールアセンブリ。
【請求項７】
前記ブロック部材及び前記操作部材のうちの一方はガイド部を有し、
前記第２のレールが前記第２の方向に変位された後で前記引っ込め位置に近い所定の位置に到達すると、前記ガイド部は前記操作部材が前記ブロック部材を越えて移動するようにガイドして前記第２のレールが前記引っ込め位置に引っ込めることができるようにする、請求項６に記載のスライドレールアセンブリ。
【請求項８】
前記ブロック部材は前記第１のレールの第１の端部に隣接し、
前記スライドレールアセンブリは前記第１のレールの第２の端部に隣接するブロック要素をさらに含み、
前記第２のレールが前記引っ込め位置にある場合、前記ブロック要素は前記第３のレール及び前記第２のレールのうちの一方が前記引っ込め位置から前記第２の方向に変位するのを防止するためにブロック状態にあり、
前記ブロック要素が前記ブロック状態にない場合、前記第３のレール及び前記第２のレールのうちの一方は、前記第１のレールに対して前記引っ込め位置から第２の伸長位置に前記第２の方向に変位可能であり、
前記第１のレールの第１の端部及び第２の端部はそれぞれ前記第１のレールの前部及び後部である、請求項７に記載のスライドレールアセンブリ。
【請求項９】
第１のレールと、
前記第１のレールに対して変位可能な第２のレールと、
前記第１のレールに連結されるブロック部材と、
前記第２のレールに対して所定の状態になることが可能な操作部材と、
を含むスライドレールアセンブリであって、
前記第２のレールが前記第１のレールに対して引っ込め位置にある場合、前記操作部材は前記所定の状態にあるとともに前記ブロック部材にブロックされて前記第２のレールが前記引っ込め位置から第１の方向に変位するのが防止され、
前記操作部材が前記所定の状態になく前記ブロック部材によってブロックされていない場合、前記第２のレールは前記引っ込め位置から前記第１の方向に変位することができる、スライドレールアセンブリ。
【請求項１０】
前記操作部材は回転可能に前記第２のレールに接続され、
前記操作部材はシャフトを通じて前記第２のレールに枢結され、
前記スライドレールアセンブリは前記操作部材に弾性力を加え、それにより前記操作部材を前記所定の状態で維持する弾性部品をさらに含み、
前記操作部材はブロック部及びハンドル部を含み、該ハンドル部及び該ブロック部は前記シャフトの両側にそれぞれ位置し、前記所定の状態にある前記操作部材は前記ブロック部を通じて前記ブロック部材によってブロックされる、請求項９に記載のスライドレールアセンブリ。
【発明の詳細な説明】
【技術分野】
【０００１】
本発明はスライドレールに関し、より具体的には、１つのスライドレールが別のスライドレールに対して所定の位置から所定の方向に変位するのを防止可能なスライドレールアセンブリに関する。
【背景技術】
【０００２】
特許文献１には外側レール（１０）、中間レール（１４）及び内側レール（１２）を含むスライドレールアセンブリが開示されている。中間レール（１４）は、外側レール（１０）に対して内側レール（１２）を変位できる距離を延ばすために外側レール（１０）と内側レール（１２）との間で可動に取り付けられる。内側レール（１２）はリリース部材（２２）を備える。ロック部材（２０）は、外側レール（１０）のブラケット（１０２）のストップブロック（１８）と協働して内側レール（１２）が外側レール（１０）に対して不意に引き出されるのを防止できる。特許文献１に添付の図６及び図７によれば、リリース部材（２２）が矢印で示す方向に長手に引き出された場合に、リリース部材（２２）の傾斜面（３４）によってロック部材（２０）とストップブロック（１８）との係合が外れるため、外側レール（１０）に対して内側レール（１２）を自由に引き出すことができる。
【先行技術文献】
【特許文献】
【０００３】
【特許文献１】米国特許第８２８２１７６号明細書
【特許文献２】米国特許第７３６４２４４号明細書
【発明の概要】
【発明が解決しようとする課題】
【０００４】
様々な市場の要求に応じるために、スライドレール業界においては様々なスライドレール製品を開発することが無視できない課題となっている。
【０００５】
本発明は、１つのスライドレールが別のスライドレールに対して所定の位置から特定方向に変位するのを防止することができるスライドレールアセンブリに関する。
【０００６】
本発明の一態様によれば、スライドレールアセンブリは第１のレールと、第２のレールと、ブロック部材と、操作部材とを含む。第２のレール及び第１のレールはお互いに対して長手方向に変位可能である。ブロック部材は第１のレールに連結される。操作部材は第２のレールに対して所定の状態になることが可能である。第２のレールが第１のレールに対して引っ込め位置にある場合、操作部材は所定の状態にありブロック部材にブロックされて第２のレールが引っ込め位置（retracted  position）から第１の方向に変位するのが防止される。操作部材が所定の状態にない場合、操作部材はもはやブロック部材にブロックされていないため、第２のレールを引っ込め位置から第１の方向に変位させることができる。
【０００７】
操作部材はハンドル部を含み、ハンドル部は複数の壁を有し、該複数の壁は共に操作空間を定義することが好ましい。
【０００８】
第１のレールは第１の端部及び該第１の端部の反対側の第２の端部を含むことが好ましい。第２のレールが第１のレールに対して引っ込め位置にある場合、操作部材のハンドル部は第１のレールの第１の端部を越えて所定の距離伸長する。操作部材のハンドル部が操作された場合、操作部材は前記所定の状態から移される。
【０００９】
スライドレールアセンブリは第１のレールと第２のレールとの間に可動に取り付けられる第３のレールをさらに含むことが好ましい。
【００１０】
操作部材は第２のレールに可動に配置されることが好ましい。
【００１１】
操作部材はシャフトを通じて第２のレールに枢結され、スライドレールアセンブリは操作部材に弾性力を加え、それにより操作部材を前記所定の状態で維持するための弾性部品をさらに含むことが好ましい。
【００１２】
操作部材はブロック部をさらに含み、所定の状態にある操作部材は該ブロック部を通じてブロック部材によりブロックされることが好ましい。
【００１３】
操作部材のハンドル部及びブロック部はシャフトの両側にそれぞれ位置することが好ましい。
【００１４】
スライドレールアセンブリは第１の要素及び第１の弾性要素をさらに含むことが好ましい。第１の要素は第３のレールに枢結される。第１の弾性要素は第１の要素に弾性力を加える。第２のレールが引っ込め位置から第１の方向に変位された後で第１の位置に到達すると、第２のレールの第１の部品（first  feature）は第１の要素に当接して第３のレール及び第２のレールが第１の方向に同時に変位できるようにする。
【００１５】
スライドレールアセンブリは第１のレールに配置される第１の動作部（first  working  feature）をさらに含み、該第１の動作部は係合解除区画を含むことが好ましい。第３のレール及び第２のレールが第１のレールに対して第１の方向に同時に変位された後で第２の位置に到達すると、第１の動作部の係合解除区画は第１の要素を動かし、それにより第３のレールと第２のレールとの間の同時変位関係を解消する。
【００１６】
スライドレールアセンブリは第１のレールに配置される第２の動作部をさらに含み、スライドレールアセンブリは第２の要素及び第２の弾性要素をさらに含むことが好ましい。第２の動作部はブロック区画を含む。第２の要素は第３のレールに枢結され、第２の弾性要素は第２の要素に弾性力を加える。第３のレールが第１のレールに対して第１の方向に変位された後で第３の位置に到達すると、第２の要素は第２の弾性要素の弾性力に対応して第２の動作部のブロック区画と係合し、それにより第３のレールが第１のレールに対して第１の方向とは反対方向（以下では第２の方向という）に変位するのが防止される。
【００１７】
第２のレールが第３のレールに対して伸長位置から第２の方向に変位された後で所定の位置に到達すると、第２のレールの第２の部品は第２の要素を第２の動作部のブロック区画との係合から外し、それにより第３のレールが第１のレールに対して第２の方向に変位できるようにすることが好ましい。
【００１８】
ブロック部材及び操作部材のうちの一方はガイド部を有することが好ましい。第２のレールが第２の方向に変位された後で引っ込め位置に近い所定の位置に到達すると、ガイド部は操作部材がブロック部材を越えて移動するようにガイドして第２のレールが引っ込め位置に引っ込めることができるようにする。
【００１９】
スライドレールアセンブリはブロック要素をさらに含むことが好ましい。第２のレール及び第３のレールが引っ込め位置にある場合、ブロック要素は第３のレール及び第２のレールのうちの一方が引っ込め位置から第２の方向に変位するのを防止するためにブロック状態にある。ブロック要素がブロック状態にない場合、第３のレール及び第２のレールのうちの一方は、第１のレールに対して引っ込め位置から第２の伸長位置に第２の方向に変位可能である。
【００２０】
ブロック部材は第１のレールの第１の端部に隣接し、ブロック要素は第１のレールの第２の端部に隣接することが好ましい。
【００２１】
第１のレールの第１の端部及び第２の端部はそれぞれ第１のレールの前部及び後部であることが好ましい。
【００２２】
第２のレール及び第３のレールは第１の当接部及び第２の当接部をそれぞれ有することが好ましい。第３のレール及び第２のレールのうちの一方が第１のレールに対して引っ込め位置から第２の方向に動かされた場合、第２のレールの第１の当接部及び第３のレールの第２の当接部は互いに当接するため、第３のレール及び第２のレールは第１のレールに対して引っ込め位置から第２の方向に同時に変位できる。
【課題を解決するための手段】
【００２３】
様々な図面に図示する下記の好ましい実施形態の詳細な説明を読み終えた後、本発明の上記の目的及び他の目的が当業者に間違いなく明らかになる。
【図面の簡単な説明】
【００２４】
【図１】図１は、本発明の一実施形態に係るラックシステムの斜視図である。
【図２】図２は、本発明の一実施形態に係るスライドレールアセンブリの斜視図であり、スライドレールアセンブリは引っ込められた状態にある。
【図３】図３は、本発明の一実施形態に係るスライドレールアセンブリの分解斜視図である。
【図４】図４は、図３における○で囲った領域Ａの拡大図である。
【図５】図５は、本発明の一実施形態に係るスライドレールアセンブリの概略図であり、スライドレールアセンブリは引っ込められた状態にある。
【図６】図６は、図５における○で囲った領域Ａの拡大図である。
【図７】図７は、本発明の一実施形態に係るスライドレールアセンブリの概略図であり、スライドレールアセンブリは引っ込められた状態にあり、操作部材が操作されて第２のレール及び第３のレールが第１のレールに対して第１の方向に変位できるようにされている。
【図８】図８は、図７における○で囲った領域Ａの拡大図である。
【図９】図９は、本発明の一実施形態に係る、第１のレールに対して第１の方向にさらに変位されたスライドレールアセンブリの第２のレール及び第３のレールを示す概略図である。
【図１０】図１０は、本発明の一実施形態に係る、第１のレールに対して第１の方向にさらに変位されたスライドレールアセンブリの第２のレール及び第３のレールを示す概略図である。
【図１１】図１１は、本発明の一実施形態に係る、スライドレールアセンブリが伸長状態になるように第１のレールに対して第１の方向に変位されたスライドレールアセンブリの第２のレール及び第３のレールを示す概略図である。
【図１２】図１２は、本発明の一実施形態に係る、第１のレールに対して第２の方向に変位されたスライドレールアセンブリの第２のレール及び第３のレールを示す概略図である。
【図１３】図１３は、図１２における○で囲った領域Ａの拡大図である。
【図１４】図１４は、本発明の一実施形態に係る、第１のレールに対して第２の方向にさらに変位されたスライドレールアセンブリの第２のレール及び第３のレールを示す部分図である。
【図１５】図１５は、本発明の一実施形態に係る、第１のレールに対して第２の方向にさらに変位されたスライドレールアセンブリの第２のレール及び第３のレールを示す概略図である。
【図１６】図１６は、本発明の一実施形態に係る、引っ込められた状態にあるスライドレールアセンブリを示す概略図である。
【図１７】図１７は、本発明の一実施形態に係る、後退位置から第１のレールに対して第２の方向に変位されてスライドレールアセンブリが別の伸長状態にされているスライドレールアセンブリの第２のレール及び第３のレールを示す概略図である。
【発明を実施するための形態】
【００２５】
図１は、本発明の一実施形態に係る一対のスライドレールアセンブリ２２を通じてラックシステムにおける物体２０がどのようにラック２４に取り付けられているかを示す。より具体的には、各スライドレールアセンブリ２２は第１のブラケット２６及び第２のブラケット２８を通じてラック２４の対応する第１のポスト２４ａ及び対応する第２のポスト２４ｂに取り付けられている。
【００２６】
図２及び図３を参照して、スライドレールアセンブリ２２は第１のレール３０、第２のレール３２、ブロック部材３４、操作部材３６を含み、第１のレール３０に対して第２のレール３２を長手方向に変位できる距離を延ばすために第１のレール３０と第２のレール３２との間に可動に取り付けられる第３のレール３８も含むことが好ましい。
【００２７】
第１のレール３０は、第１のレール３０の両端に対応する第１の端部３０ａ及び第２の端部３０ｂを含む。例えば、第１のレール３０の第１の端部３０ａ及び第２の端部３０ｂは限定されないがそれぞれ第１のレール３０の前部及び後部であり得る。第１のブラケット２６は第１のレール３０に固定されているため、第１のレール３０の一部と見なすことができる。第１のブラケット２６は第１のレール３０の第１の端部３０ａに隣接していることが好ましい。第２のブラケット２８は第１のレール３０に連結され、第１のレール３０に対して位置を調節できる。例えば、第２のブラケット２８は第１のレール３０の第２の端部３０ｂに隣接する位置に調節できる。第１のレール３０は第１のブラケット２６及び第２のブラケット２８を通じて対応する第１のポスト２４ａ及び第２のポスト２４ｂに取り付けることができる。これらの構成は当業者に良く知られているため、簡略化のためにさらなる説明は省略する。第１のレール３０は第１の壁４０ａ、第２の壁４０ｂ及び第１のレールの第１の壁４０ａと第２の壁４０ｂとの間に接続される長手壁４２を含む。第１の壁４０ａ、第２の壁４０ｂ及び長手壁４２は共に第１の通路を定義する。
【００２８】
（図４により分かり易く示すように）ブロック部材３４は第１のレール３０に連結されている。例えば、ブロック部材３４は第１のレール３０と一体化され得るか又は第１のレール３０に可動に又は取り外し可能に連結される別個の部品であり得る。本発明では、ブロック部材３４を第１のレール３０に連結する方法について限定されない。別の例として、ブロック部材３４を第１のブラケット２６に又は対応する第１のポスト２４ａに取り付けてもよい。本実施形態では、ブロック部材３４は第１のレール３０の第１のブラケット２６の側部４３に連結され、ブロック部材３４は一例として第１のレール３０の第１の端部３０ａに隣接する突起又は突出ブロックである。スライドレールアセンブリ２２は第１のレール３０の２つの位置に配置される第１の動作部３７及び第２の動作部３９をさらに含むことが好ましい。ここでは、第１の動作部３７及び第２の動作部３９は第１のレール３０の長手壁４２に配置される２つの突起であるが、実際には必ずしもそのような構成ではない。
【００２９】
第３のレール３８は第１のレール３０の第１の通路に可動に取り付けられている。第３のレール３８及び第１のレール３０はお互いに対して長手方向に変位可能である。第３のレール３８は、第３のレール３８の両端にそれぞれ対応する第１の端部３８ａ及び第２の端部３８ｂを含む。第３のレール３８は第１の壁４４ａ、第２の壁４４ｂ及び第３のレール３８の第１の壁４４ａと第２の壁４４ｂとの間に連結される長手壁４６を含む。第１の壁４４ａ、第２の壁４４ｂ及び長手壁４６は共に第２の通路を定義する。スライドレールアセンブリ２２は第１の要素４８、第１の弾性要素５０、第２の要素５２及び第２の弾性要素５４をさらに含むことが好ましい。第１の要素４８及び第２の要素５２は第３のレール３８の２つの位置にそれぞれ配置されている。より具体的には、第１の要素４８は第３のレール３８に枢結され、第１の弾性要素５０は第１の要素４８に弾性力をくわえ、第２の要素５２も第３のレール３８に枢結され、第２の弾性要素５４は第２の要素５２に弾性力を加える。
【００３０】
第２のレール３２及び第１のレール３０はお互いに対して長手方向に変位可能である。ここでは、一例として、第２のレール３２は第３のレール３８又は第１のレール３０に対して長手方向に変位できるように第３のレール３８の第２の通路に可動に取り付けられる。より具体的には、第２のレール３２は、第２のレール３２の両端にそれぞれ対応する第１の端部３２ａ及び第２の端部３２ｂを含む。第２のレール３２は第１の壁５６ａ、第２の壁５６ｂ及び第２のレール３２の第１の壁５６ａと第２の壁５６ｂとの間に接続される長手壁５８を含む。第２のレール３２は第１の部品６０及び第２の部品６２をさらに含むことが好ましい。ここでは、一例として、第１の部品６０及び第２の部品６２は第２のレール３２の長手壁５８に配置される２つの突起である。第２のレール３２は、第２のレール３２が物体を保持できるようにするために第２のレール３２によって保持される物体の取り付け部を取り付けできる取り付け孔等の対応する複数の取り付け部６３をさらに含むことが好ましい。
【００３１】
操作部材３６は第２のレール３２に配置される。操作部材３６は第２のレール３２の第１の端部３２ａに隣接して配置されることが好ましい。操作部材３６は第２のレール３２に可動に配置されることが好ましい。例えば、操作部材３６は第２のレール３２に対して枢動可能なようにシャフト６４を通じて第２のレール３２に枢結されている。スライドレールアセンブリ２２は操作部材３６に弾性力を加えるために弾性部品６６をさらに含むことが好ましい。操作部材３６はブロック部６８及びハンドル部７０を含むことが好ましい。ハンドル部７０及びブロック部６８（突起等）はシャフト６４の両側にそれぞれ位置する。操作部材３６のハンドル部７０は互いに接続された第１の側壁７０ａ、第２の側壁７０ｂ及び第３の側壁７０ｃ等の複数の壁を有し、複数の側壁は共に操作空間７１を定義する。第３の側壁７０ｃはユーザーの把持を促進するために保護カバー７２を備えることが好ましい。
【００３２】
ブロック部材３４は第１のレール３０の第１の端部３０ａに隣接することが好ましい。スライドレールアセンブリ２２は第１のレール３０に可動に配置されるブロック要素７４をさらに含むことが好ましい。しかしながら、実際にはブロック要素７４はそのように配置されなくてもよい。例えば、代わりにブロック要素７４を第２のブラケット２８又は対応する第２のポストに配置してもよい。ブロック要素７４は第１のレール３０の第２の端部３０ｂに隣接することが好ましい。より具体的には、ブロック要素７４及び第１のレール３０の一方は、ブロック要素７４と第１のレール３０との間の相対動作を促進するためにガイド構造７６を有する。ここでは、ブロック要素７４がガイド構造７６を有し、ガイド構造７６は一例としてスロット又は細長い溝である。接続要素７７は、第１のレール３０に接続されるためにガイド構造７６を通って延びる第１の部分７７ａを有し、第１の部分７７ａに接続される第２の部分７７ｂを有する。第２の部分７７ｂは、ブロック要素７４の一方側で止まるように第１の部分７７ａ及びガイド構造７６よりも幅広である。接続要素７７は、ブロック要素７４が第１のレール３０に取り外し可能に取り付けられるようにブロック要素７４を第１のレール３０にロックするためのネジであることが好ましい（実際には必ずしもそのような構成でなくてもよい）。ブロック要素７４及び第１のレール３０は第１の係合部７８及び第２の係合部８０をそれぞれ含み、２つの係合部は互いに協働するように構成されている。ブロック要素７４の第１の係合部７８は、ブロック要素７４がブロック状態にある場合に第１のレール３０の第２の係合部８０と係合し、ブロック要素７４の第１の係合部７８は、ブロック要素７４がブロック状態にない場合に第１のレール３０の第２の係合部８０から外れている。第１の係合部７８及び第２の係合部「８０の一方は突起であり、他方は合致する孔（又は溝）であることが好ましい。ここでは、一例として、第１の係合部７８が突起であり、第２の係合部８０が孔である。
【００３３】
図５及び図６を参照して、第１の動作部３７及び第２の動作部３９は、２つの動作部が長手方向に離間されるとともに互いに垂直方向にオフセットされるように第１のレール３０に配置されていることが好ましい。第１の要素４８及び第２の要素５２はこれら２つの要素が長手方向に互いに離間されるとともに、第１の弾性要素５０及び第２の弾性要素５４の弾性力をそれぞれ受けるように第３のレール３８に配置されることが好ましい。第２のレール３２の第１の部品６０及び第２の部品６２は互いに長手方向に離間されるとともに、互いに垂直方向にオフセットされることが好ましい。第２のレール３２及び第３のレール３８は第１の当接部８２及び第２の当接部８４をそれぞれ有し、第１の当接部８２及び第２の当接部８４は限定されないが突出ブロック又は突起であり得る。
【００３４】
第２のレール３２が第１のレール３０に対して所定の位置に、例えば引っ込め位置Ｒにある場合、操作部材３は所定の状態Ｓ１にある。この所定の状態Ｓ１において、操作部材３６は第２のレール３２が引っ込め位置Ｒから第１の方向Ｄ１に変位するのを防止するためにブロック部材３４によってブロックされるとともに、操作部材３６のハンドル部７０は操作が容易になるように第１のレール３０の第１の端部３０ａを越えて所定の距離Ｘ伸長する。より具体的には、操作部材３６は、弾性部品６６の弾性力によって所定の状態Ｓ１に維持され、操作部材３６のブロック部６８は第２のレール３２が引っ込め位置Ｒから第１の方向Ｄ１に変位するのを防止するためにブロック部材３４によってブロックされる。第２のレール３２の第１の部分６０及び第１の要素４８は、第２のレール３２及び第３のレール３８が第１のレール３０に対して引っ込め位置Ｒ（又は引っ込められた状態）にある場合に互いに離間していることが好ましい。
【００３５】
操作部材３６が所定の状態Ｓ１にない場合、例えば操作部材３６が操作されて図７及び図８に示すように所定の状態Ｓ１から斜めに傾斜されて別の状態Ｓ２になっている場合、操作部材３６はもはやブロック部材３４によってブロックされていないため、第２のレール３２を引っ込め位置Ｒから第１の方向Ｄ１に変位させることができる。より具体的には、ユーザーは操作部材３６のハンドル部７０を手で操作し、例えば操作部材３６の操作空間７１内に指を１本以上入れてハンドル部７０に力Ｆ（上向きの力）を加えて操作部材３６を第２の状態Ｓ２にすることにより、操作部材３６のブロック部６８をブロック部材３４から放して第２のレール３２が第１の方向Ｄ１に変位できるようにすることができる。弾性部品６６は操作部材３６が第２の状態Ｓ２にある間弾性力を蓄積する。第２のレール３２が第１の方向Ｄ１に変位された後で第１の位置Ｐ１に到達すると、第２のレール３２の第１の部分６０は第３のレール３８及び第２のレール３２を第１の方向Ｄ１に同時に変位できるように第１の要素４８に当接することが好ましい（図７参照）。
【００３６】
図９及び図１０を参照して、ユーザーが操作部材３６に力Ｆを加えるのを止めると、弾性部材６６により放たれた弾性力に対応して操作部材３６は第２の状態Ｓ２から所定の状態Ｓ１に戻る。より具体的には、第３のレール３８及び第２のレール３２が第１のレール３０に対して第１の方向Ｄ１に同時に変位された後で第２の位置Ｐ２に到達すると、第１の動作部３７の係合解除区画３７ａ（例えば傾斜面又は湾曲面）は第１の要素４８を斜めに傾斜させる。その結果、第１の弾性要素５０は弾性力を蓄積し（図１０参照）、第２のレール３２の第１の部品６０は第１の要素４８ともはや当接していない。これは、第３のレール３８と第２のレール３２との間で同時に変位される関係が解消されたことを意味する。第２のレール３２は第１のレール３０に対して第１の方向Ｄ１にさらに変位させることができる。なお、第１の要素４８は第３のレール３８（より具体的には長手壁４６）を通って第１のレール３０の方に延びる伸長部４８ａを有し、第１の動作部３７の係合解除区画３７ａは伸長部４８ａを通じて第１の要素４８を傾斜させる。
【００３７】
図１１を参照して、第３のレール３８が第１のレール３０に対して第１の方向Ｄ１に変位された後で第３の位置Ｐ３に到達すると、第２の要素５２は、第３のレール３８が第１のレール３０に対して第１の方向Ｄ１の反対方向である第２の方向Ｄ２に変位するのを防止するために第２の動作部３９のブロック区画３９ａと係合する。さらに、第２のレール３２は、スライドレールアセンブリ２２が伸長状態になるように第１のレール３０又は第３のレール３８に対して第１の方向Ｄ１にさらに変位させて伸長位置Ｅ１に移動できる。なお、第２の要素５２は、第２の動作部３９のブロック区画３９ａと係合するために第３のレール３８（より具体的には長手壁４６）を通って第１のレール３０の方に延びる伸長区画５２ａを有する。
【００３８】
図１２、図１３及び図１４を参照して、第２のレール３２が伸長位置Ｅ１から第３のレール３８に対して第２の方向Ｄ２に変位された後で所定の位置に到達すると、第２のレール３２の第２の部品６２は第２の要素５２を斜めに傾斜させ、それにより第２の要素５２の伸長区画５２ａが第２の動作部３９のブロック区画３９ａから外れて第３のレール３８を第１のレール３０に対して第２の方向Ｄ２に変位させることができる。
【００３９】
図１５及び図１６に示すように、ブロック部材３４及び操作部材３６のうちの一方は傾斜面又は湾曲面等のガイド部８６を有する。ここでは、一例として、ブロック部材３４がガイド部８６を有するものとする（図４参照）。操作部材３６が第１の所定の状態Ｓ１にあり、第２のレール３２及び第３のレール３８が第２のレール３２が第２の方向Ｄ２に変位された後で引っ込め位置Ｒの近くの位置に到達するように第１のレール３０に対して第２の方向Ｄ２に変位された場合、操作部材３６はガイド部８６の案内によりブロック部材３４を直接越えて動かすことができるか又はブロック部材３４越えて枢動することができる。そのため、第２のレール３２は引っ込め位置Ｒに達するように第２の方向Ｄ２にさらに引っ込めることができる。
【００４０】
図１６及び図１７を参照して、第２のレール３２及び第３のレール３８が引っ込め位置Ｒにあるか又は第１のレール３０に対して引っ込められた状態にある場合、第２のレール３２の第１の当接部８２と第３のレール３８の第２の当接部８４とが互いに当接し、ブロック要素７４はブロック状態Ｙ１にある。その結果、第３のレール３８及び第２のレール３２の一方（例えば第３のレール３８）は引っ込め位置Ｒから第２の方向Ｄ２に変位することから維持される。より具体的には、ブロック要素７４がブロック状態Ｙ１にある場合、ブロック要素７４の第１の係合部７８は、第３のレール３８及び第２のレール３２（例えば、図２に示すように第３のレール３８の第２の端部３８ｂ）の一方をブロックするために第１のレール３０の第２の係合部８０と係合する。他方、ブロック要素７４がブロック状態Ｙ１にない場合（例えば、ユーザーが操作力Ｆ１をブロック要素に加えてブロック要素７４がブロック状態Ｙ１から非ブロック状態Ｙ２にされた場合）、第３のレール３８及び第２のレール３２の一方（例えば第３のレール）は第１のレール３０に対して第２の方向Ｄ２に引っ込め位置Ｒから別の伸長位置Ｅ２に変位させることができる。第２のレール３２の当接部８２及び第３のレール３８の第２の当接部８４が互いに当接することで、第３のレール３８及び第２のレール３２を同時に引っ込め位置Ｒから第１のレール３０に対して第２の方向Ｄ２に変位させることができる。
【００４１】
上記から、スライドレールアセンブリ２２は下記の特徴を有することが好ましいことが分かる。
【００４２】
１）第２のレール３２（及び第３のレール３８）が第１のレール３０に対して所定の位置に、例えば引っ込め位置Ｒにある場合、ブロック機構が作動して第２のレール３２（及び第３のレール３８）が引っ込め位置Ｒから第１の方向Ｄ１又は第２の方向Ｄ２のいずれかに変位するのが防止される。
【００４３】
２）第１のレール３０に対して引っ込め位置Ｒにある場合、第２のレール３２（及び第３のレール３８）は、操作部材３６とブロック部材３４との間のブロック関係を解消さした際に引っ込め位置Ｒから第１の方向Ｄ１に変位させることができるか又はブロック要素７４がブロック状態にＹ１にない場合に引っ込め位置Ｒから第２の方向Ｄ２に変位させることができる。そのため、第２のレール３２（及び第３のレール３８）を引っ込め位置Ｒから第１の方向Ｄ１又は第２の方向Ｄ２のいずれかに変位させていずれかの方向に開くことができる。
【００４４】
３）第２のレール３２と第３のレール３８との同時変位は、これら２つのレールが引っ込め位置Ｒから第１のレール３０に対して第１の方向Ｄ１又は第２の方向Ｄ２のいずれかに変位される間に行うことができる。
【００４５】
４）先行技術とは対照的に（例えば、ストップブロック（１８）との係合を解除するためにリリース部材（２２）を通じてロック部材（２０）を操作可能な特許文献１の発明）、本発明の前述の実施形態は、操作部材３６の操作を通じて（例えば、ユーザーが操作部材３６に非長手方向の力を加えることにより）操作部材３６とブロック部材３４との間のブロック関係を直接解消できるため、第２のレール３２を引っ込め位置Ｒから第１のレール３０に対して第１の方向Ｄ１に変位させることができる。本発明の実施形態は、構造構成の点で先行技術に比べて簡素であり、先行技術の課題、例えば特許文献１においてリリース部材（２２）が誤って長手方向に引き出された場合にロック部材（２０）がストップブロック（１８）から予期せずに外れるといった課題を回避できる。
【００４６】
５）第２のレール３２が第１のレール３０に対して引っ込め位置Ｒにある場合、操作部材３６のハンドル部７０はユーザーの操作を促進するために第１のレール３０の第１の端部３０ａ（又は第１のブラケット２６）を越えて所定の距離伸長する。
【００４７】
６）ブロック部材３４又はブロック要素７４は必要に応じて第１のレール３０から取り外すことができる。
【００４８】
上述の好ましい実施形態を通じて本発明を開示してきたが、これらの実施形態は本発明の範囲を限定することを意図したものではない。出願人が求める特許の保護範囲は添付の特許請求の範囲によって定義される。
【符号の説明】
【００４９】
２０  物体
２２  スライドレールアセンブリ
２４  ラック
２６  第１のブラケット
２８  第２のブラケット
３０  第１のレール
３２  第２のレール
３４  ブロック部材
３６  操作部材
３８  第３のレール
４０ａ  第１の壁
４０ｂ  第２の壁
４２  長手壁
４４ａ  第１の壁
４４ｂ  第２の壁
４６  長手壁
４８  第１の要素
５０  第１の弾性要素
５２  第２の要素
５４  第２の弾性要素
５６ａ  第１の壁
５６ｂ  第２の壁
５８  長手壁
６０  第１の部品
６２  第２の部品
６４  シャフト
６６  弾性部品
６８  ブロック部
７０  ハンドル部
７２  保護カバー
７４  ブロック要素
７６  ガイド構造
７８  第１の係合部
８０  第２の係合部
８２  第１の当接部
８４  第２の当接部
８６  ガイド部
【図１】
2019181147.tif 000003
【図２】
2019181147.tif 000004
【図３】
2019181147.tif 000005
【図４】
2019181147.tif 000006
【図５】
2019181147.tif 000007
【図６】
2019181147.tif 000008
【図７】
2019181147.tif 000009
【図８】
2019181147.tif 000010
【図９】
2019181147.tif 000011
【図１０】
2019181147.tif 000012
【図１１】
2019181147.tif 000013
【図１２】
2019181147.tif 000014
【図１３】
2019181147.tif 000015
【図１４】
2019181147.tif 000016
【図１５】
2019181147.tif 000017
【図１６】
2019181147.tif 000018
【図１７】
2019181147.tif 000019